(57)【要約】【課題】  最近、特に平成２２年に入り、高齢独居者等の状態確認の不十分に起因する介護の遅れや生死の確認漏れ等の事件が続発している。  そのため高齢者、要介護者、障害者、病人、子供等の独居者等の生活活動監視の必要性が大きな社会問題として浮上している。  そのため独居者等の生活状態の異常を早期に監視連絡できると共に、お出かけ時の警備監視連絡装置が望まれていた。【解決手段】  援助コントローラ１は、シーケンサ装置と自動通報システムにより構成されており、自動通報システムは、携帯電話等に接続されており、数か所の通報先に条件がそろうと、自動的に通報される機能が搭載されている装置を提供する。【選択図】図１
2012089106.tif 000002
【特許請求の範囲】
【請求項１】
独居者等Ａの居室等には、援助コントローラが設置されており、独居者等Ａの近傍の各室には、監視センサ２が設けられており、監視センサ２からの信号が、援助コントローラに有線、及び／又は無線、及び／又はＰＬＣ回線により伝達され、
該援助コントローラは、シーケンサ装置とモード切替スイッチと、自動通報システムとにより構成されており、
異常状態と判断された時は、自動通報システムより、自動通報システム内のオートダイヤラー機能により、異常通報通信が独居者等Ａの携帯電話、及び／又は固定電話に伝達され、自動通報システム内のオートダイヤラー機能により、異常通報通信が自動発信され、単数又は複数の通報先に通報されることを特徴とする独居者等の監視警備連絡装置。
【請求項２】
独居者等Ａの居室等には、援助コントローラが設置されており、独居者等Ａの近傍の各室には、監視センサ２が設けられており、該感知センサ２は、人間の動きにより感知する人感センサ２ａ、及び／又は光センサ２ｂ、及び／又は赤外線センサ２ｃ、及び／又は加速度計センサ２ｄ、及び／又は火災報知機２ｅ、及び／又は煙感知器２ｆ、及び／又は漏電ブレーカ２ｇ、及び／又は床マットセンサ２ｈ等のいずれか又は複数の組合せで構成され、監視センサ２からの信号が、援助コントローラに有線、及び又は無線、及び又はＰＬＣ回線により伝達され、
該援助コントローラは、シーケンサ装置とモード切替スイッチと、自動通報システムとにより構成されており、
在宅モードの場合は、監視センサ２からの信号は、シーケンサ装置により、設定時間内に独居者等Ａの動きが感知されると、リセットとなり、
設定時間内に、独居者等Ａの動きが感知されない場合は、異常状態と判断し、自動通報システムにより異常信号が、独居者等Ａの携帯電話、及び／又は固定電話に伝達され、自動通報システム内のオートダイヤラー機能により、異常通報通信が自動発信され、単数又は複数の通報先に通報され、
又は、お出かけモードの場合は、監視センサ２からの信号は、シーケンサ装置により、設定時間内に侵入者Ｃの動きが感知されないとリセットとなり、侵入者Ｃの動きが検知された場合は、異常状態と判断し、自動通報システムより、自動通報システム内のオートダイヤラー機能により、異常通報通信が独居者等Ａの携帯電話、及び／又は固定電話に伝達され、自動通報システム内のオートダイヤラー機能により、異常通報通信が自動発信され、単数又は複数の通報先に通報されることを特徴とする請求項１記載の独居者等の監視警備連絡装置。
【請求項３】
前記援助コントローラからの通信が、インターネット回線を介して、単数又は複数の通報先のパソコン、及び／又は携帯電話、及び／又は固定電話に自動通報されることを特徴とする請求項１、又は請求項２記載の独居者等の監視警備連絡装置。
【請求項４】
前記援助コントローラからの通信が、インターネット回線を介して、単数又は複数の通報先のパソコン、及び／又は携帯電話に、動画通信で自動通報されることを特徴とする請求項１、又は請求項２、又は請求項３記載の独居者等の監視警備連絡装置。
【請求項５】
監視センサ２は、移動する室内の各所に配置されており、それらの信号より生活による移動パターンを記録する情報記憶装置が、援助コントローラ内に収納され、シーケンサ装置と連結されており、各個人の室内での標準行動パターンと、その都度記録された行動パターンを定期的に比較分析し、判断回路より異常が診断されない時は、定期的にリセットされる、
異常状態と診断された場合は、異常信号が自動通報システムに発信され、自動通報システムより独居者等Ａの携帯電話、及び／又は固定電話に伝達されると共に、自動通報システム内のオートダイヤラー機能により、異常通報通信が自動発信され、単数又は複数の通報先に通報されることを特徴とする請求項１、又は請求項２、又は請求項３、又は請求項４記載の独居者等の監視警備連絡装置。
【請求項６】
監視センサとして、人体通信（Ｂｏｄｙ  Ａｒｅａ  Ｎｅｔｗｏｒｋ）システムにより、  人体で触れる動作等を、コンピュータで信号としてとらえ、行動パターン分析を行うことにより異常状態を感知することを特徴とする請求項１、又は請求項２、又は請求項３、又は請求項４、又は請求項５記載の独居者等の監視警備連絡装置。
【発明の詳細な説明】
【技術分野】
【０００１】  本発明は、高齢者等の独居者等の監視警備連絡装置に関する。
【背景技術】
【０００２】  最近、特に平成２２年に入り、高齢独居者の状態確認の不十分に起因する介護の遅れや生死の確認漏れ等の事件が続発している。
そして高齢者、要介護者、障害者、病人、子供等の独居者等の生活活動監視の必要性が大きな社会問題として浮上している。
そのため独居者等の生活状態の異常を早期に監視・連絡でき、又外出時の警備のできる監視警備連絡装置が望まれていた。【０００３】  我が国において６５歳以上の高齢者の人口に占める割合は、今後４０年の間に３０％を超えると言われている。
そのための要介護者の対策が、政府をはじめ自治体で検討され、一部対策を模索しているが、未だに十分な効果を発揮しえていない。
又、独居者等は、空間的にも人間関係上も孤立している例が多く、健常者であっても、監視警備連絡を必要とするケースが放置されたままとなっているのが実情である。
そのため家庭用電気製品にセンサを設けて電気ポットの使用状況や生活必要品の使用状況から、安否を監視するシステムや、警備会社の高度な監視システム等が提案されてきたが、いずれも大掛かりで、設置工事が、複雑で時間がかかり、高額な設置費を必要としていた。
加えて急速な高齢化社会となり、その対象者の数が膨大であるため、経済的にも限界があり、課題の解決には、至っていなかった。
【発明の概要】
【発明が解決しようとする課題】
【０００４】  本発明は、これらの問題を解消するための現実的手段を開発したものである。機器の構造が簡単なため、機器自体の価格が安く、又取付工事が容易なため多額の工事費のかからぬ極めて実用的な監視警備連絡システムを提供するものである。
【課題を解決するための手段】
【０００５】  独居者等Ａの居室等には、援助コントローラが設置されており、独居者等Ａの近傍の各室には、監視センサ２が設けられており、監視センサ２からの信号が、援助コントローラに有線、及び／又は無線、及び／又はＰＬＣ回線により伝達され、
該援助コントローラは、シーケンサ装置とモード切替スイッチと、自動通報システムとにより構成されており、
異常状態と判断された時は、自動通報システムより、自動通報システム内のオートダイヤラー機能により、異常通報通信が独居者等Ａの携帯電話、及び／又は固定電話に伝達され、自動通報システム内のオートダイヤラー機能により、異常通報通信が自動発信され、単数又は複数の通報先に通報されることを特徴とする独居者等の監視警備連絡装置を提供する。【０００６】  独居者等Ａの居室等には、援助コントローラが設置されており、独居者等Ａの近傍の各室には、監視センサ２が設けられており、該感知センサ２は、人間の動きにより感知する人感センサ２ａ、及び／又は光センサ２ｂ、及び／又は赤外線センサ２ｃ、及び／又は加速度計センサ２ｄ、及び／又は火災報知機２ｅ、及び／又は煙感知器２ｆ、及び／又は漏電ブレーカ２ｇ、及び／又は床マットセンサ２ｈ等のいずれか又は複数の組合せで構成され、監視センサ２からの信号が、援助コントローラに有線、及び又は無線、及び又はＰＬＣ回線により伝達され、
該援助コントローラは、シーケンサ装置とモード切替スイッチと、自動通報システムとにより構成されており、
在宅モードの場合は、監視センサ２からの信号は、シーケンサ装置により、設定時間内に独居者等Ａの動きが感知されると、リセットとなり、
設定時間内に、独居者等Ａの動きが感知されない場合は、異常状態と判断し、自動通報システムにより異常信号が、独居者等Ａの携帯電話、及び／又は固定電話に伝達され、自動通報システム内のオートダイヤラー機能により、異常通報通信が自動発信され、単数又は複数の通報先に通報され、
又は、お出かけモードの場合は、監視センサ２からの信号は、シーケンサ装置により、設定時間内に侵入者Ｃの動きが感知されないとリセットとなり、侵入者Ｃの動きが検知された場合は、異常状態と判断し、自動通報システムより、自動通報システム内のオートダイヤラー機能により、異常通報通信が独居者等Ａの携帯電話、及び／又は固定電話に伝達され、自動通報システム内のオートダイヤラー機能により、異常通報通信が自動発信され、単数又は複数の通報先に通報されることを特徴とする請求項１記載の独居者等の監視警備連絡装置を提供する。【０００７】    前記援助コントローラからの通信が、インターネット回線を介して、単数又は複数の通報先のパソコン、及び／又は携帯電話、及び／又は固定電話に自動通報されることを特徴とする請求項１、又は請求項２記載の独居者等の監視警備連絡装置を提供する。【０００８】  前記援助コントローラからの通信が、インターネット回線を介して、単数又は複数の通報先のパソコン、及び／又は携帯電話に、動画通信で自動通報されることを特徴とする請求項１、又は請求項２、又は請求項３記載の独居者等の監視警備連絡装置を提供する。【０００９】  監視センサ２は、移動する室内の各所に配置されており、それらの信号より生活による移動パターンを記録する情報記憶装置が、援助コントローラ内に収納され、シーケンサ装置と連結されており、各個人の室内での標準行動パターンと、その都度記録された行動パターンを定期的に比較分析し、判断回路より異常が診断されない時は、定期的にリセットされる、
異常状態と診断された場合は、異常信号が自動通報システムに発信され、自動通報システムより独居者等Ａの携帯電話、及び／又は固定電話に伝達されると共に、自動通報システム内のオートダイヤラー機能により、異常通報通信が自動発信され、単数又は複数の通報先に通報されることを特徴とする請求項１、又は請求項２、又は請求項３、又は請求項４記載の独居者等の監視警備連絡装置を提供する。【００１０】  監視センサとして、人体通信（Ｂｏｄｙ  Ａｒｅａ  Ｎｅｔｗｏｒｋ）システムにより、  人体で触れる動作等を、コンピュータで信号としてとらえ、行動パターン分析を行うことにより異常状態を感知することを特徴とする請求項１、又は請求項２、又は請求項３、又は請求項４、又は請求項５記載の独居者等の監視警備連絡装置を提供する。
【発明の効果】
【００１１】（１）現在大きな問題となっている独居者等の異常を監視し、自動的に連絡することができるので、独居者等の安全、健康等を管理でき、独居者等問題を解決できる。
（２）監視センサ２は、夫々単独に取付けられ、簡単な配線工事でよく、援助コントローラ２は、寝室等の主たる居室に、単独で置くことができ、それに携帯電話の結線を接続するだけで、監視連絡装置が構成でき、機器自体も工事も極めて安価で設置できる極めて実用的な監視連絡装置を提供する。
（３）加えて外出時は、お出かけモードに切り替えることにより室内の防犯監視ができる警備を行うことができる。
（４）新商品による産業の発展にも貢献できる極めて実用的な発明である。設置が極めて簡単で、すぐに完了し、機器費用も特別なコンピュータ等を使用する必要がなく、
（５）従来提案されてきた種々の特別な装置や、センサや、システムを複雑に構成した方式でなく、現実的に必要な簡潔な機器構成で、十分目的が達成できることに気付いたものである。
【図面の簡単な説明】
【００１２】
【図１】実施例の概略配置図である。
【図２】援助コントローラ１の正面図である。
【図３】実施例１のシステム構成図である。
【図４】実施例２のシステム構成図である。
【発明を実施するための形態】
【００１３】  本発明は、前述した如く、独居者等の生活状態の異常を早期に監視警備連絡できる装置を提供するもので、従来の大掛かりで、建物の改造等に多くの設置時間がかかり、高額な設置費を必要としていた従来のシステムに対し、設置が容易で、かつ安価な独居者等の監視警備連絡装置を提供するものである。
【００１４】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００１５】  以下、本発明の実施例について、図面を参照しながら説明する。
図１は、本発明の実施例の概略配置図である。
高齢者や要介護者等の独居者等Ａの居室である、例えば、寝室のベッドＢの近傍には、援助コントローラ１が設置されており、リモコン端末１ｂにより起動、及び／又は操作される。又は、援助コントローラ１に設けられた起動スイッチ１ｅから起動される。
又、居室である例えば寝室のベッドＢの近傍には、監視センサ２が設けられている。該感知センサ２は、人間の動きにより感知する人感センサ２ａや光センサ２ｂや、赤外線センサ２ｃや加速度計センサ２ｄ等が用いられる。【００１６】又、監視センサ２は、火災警報器２ｅ、煙感知器２ｆ、ＩＧＲ等の漏電ブレーカ２ｇの異常信号も含むものである。
又、床マットセンサ２ｈを床に敷き、圧力信号、又は温度変化により監視させる監視センサ２としてもよい。【００１７】  監視センサ２は、寝室や、トイレ、洗面所、階段、玄関等の隔離された空間、及び／又は床にそれぞれ死角がないように設けられている。
監視センサ２から援助コントローラ１への信号は、無線、又は有線、又はブルートゥース信号、又はＷＩＦＩ信号、又はＰＬＣ（プログラマブル・ロジック・コントローラ）回路による信号等で伝達される。【００１８】  第２図は、援助コントローラ１の構成の一実施例を示すものである。
この構成においては、中央に液晶モニタ１ａが設けられており、該液晶モニタ１ａには、フォトフレームとして、映像が壁紙、又はスクリーンセーバとして表示されている。
又、動画通信の場合は、動画が表示され、又テレビ電話として使用するときは、相手方の連絡先、相手の顔等が表示される。その他、インターネット通信により、必要な情報、を表示することができる。又、最も簡素な構成として、映像でなく通常の写真・絵画１ｐで写真立ての代わりに用いても良い。
また、援助コントローラ１には、ナースコールボタン１ｄが連結されており、又マイク４、及び／又はスピーカ５、及び／又はブザー５ａ、及び／又はランプ６、及び／又は動画カメラ１５も内蔵等により構成、設置されている。
もちろんこれらのマイク４、及び／又はスピーカ５、及び／又はブザー５ａ、及び／又はランプ６、及び／又は動画カメラ１５は、室内に別個に設置されてもよい。
リモコン端末１ｂは、起動スイッチの他に、切り替えスイッチ７の切替え、及び動画カメラの入り切り、ナースコールボタン１ｄ、及び通報先の選択、インターネットの入り切り、等の種々の操作ができるように構成することができる。【００１９】  図３は、本発明の実施例１の回路システム構成図である。
援助コントローラ１は、シーケンサ装置３を介して、モード切替スイッチ７に連結されており、該モード切替スイッチ７により、大きく在宅モード７ａと、お出かけモード７ｂに切り替えられる。【００２０】  例として、お出かけモード７ｂの場合は、モードメッセージ８のお出かけメッセージ８ａにより「行ってらっしゃい、気をつけて」等の音声が流れ、在宅モード７ａの場合は、同様にモードメッセージ８の在宅メッセージ８ｂにより「おかえりなさい、監視システムを起動します」等の音声が流れるようになっている。
在宅モード７ａと、お出かけモード７ｂのいずれにおいても、次に自動通報システム９に連結され、自動通報システム９は、携帯電話１０、及び／又は固定電話１０ａに接続されており、単数または複数の通報先に異常条件がそろうと、自動的に通報される機能が搭載されている。
又、スピーカ５は、携帯電話１０、及び／又は固定電話１０ａの内蔵スピーカでもよい。
又、援助コントローラ１には充電式バッテリが内蔵されているため、停電時においても機能が停止されない容量を備えている。【００２１】  次にそれぞれの機器の詳細を説明する。
図３に示す如く、切替スイッチ７が、在宅モード７ａに切り替えられると、屋内監視システムとなる。
監視センサ２からの信号、及び／又は動画カメラ１５からの信号は、シーケンサ装置３により、設定時間内に独居者等Ａの動きが感知されると、リセットとなり、再度、カウントが開始される。
設定時間は最小３分〜最大２４時間の範囲で選択可能である。設定時間は、シーケンサ装置３に設けられた調整器により、簡単にセットできる。【００２２】  設定時間内に、動きが感知されない時は、まず独居者等Ａにスピーカ５により警報が発せられる。又、耳の不自由な人には、ランプ６のあらかじめ決めた光の点滅で知らせることができる。
それに気付き、動きがあった時や、ナースコールボタン１ｄで解除が押された時は、リセットされる。【００２３】  もし、それらの信号がない場合は、まず異常状態と判断し、自動通報システム９に異常信号が伝達される。
又マイク４で異常状態の通報を意味するボイスパターン、例えば「助けて！」「ヘルプヘルプ！」等を発信した時も同様に、異常状態と判断し、
シーケンサ装置３より、異常信号が自動通報システム９に発信され、自動通報システム９より独居者等Ａの携帯電話１０、及び／又は固定電話１０ａに伝達され、自動通報システム内のオートダイヤラー機能により、異常通報通信１２が自動発信され、単数又は複数の通報先に通報される。【００２４】  通報先は、家族であったり、介護ヘルパーであったり、病院や１１９番、警察等を自由に選択することができる。【００２５】  次に、図３の切替スイッチ７が、お出かけモード７ｂに切替えられると、屋内警備監視システムとなる。
お出かけモード７ｂにおいては、自宅内の監視センサ２からの信号、及び／又は動画カメラ１６からの信号は、シーケンサ装置３により、設定時間内に侵入者Ｃの動きが感知されると、異常信号１２が自動通報システム９に発信され、自動通報システム９よりブザー５ａより警報が発せられ、独居者等Ａの携帯電話１０、及び／又は固定電話１０ａに伝達されると共に、自動通報システム９内のオートダイヤラー機能により、異常通報通信１２が自動発信され、単数又は複数の通報先に通報される。【００２６】  通報先は、警察であったり、１１９番であったり、家族であったり、介護ヘルパーであったり、病院等を自由に選択することができる。【００２７】  設定時間内に、動きが感知されない時は、侵入者Ｃがいないと判断され、一定時間にリセットされ、それが繰り返される。【００２８】  設定時間は最小３分〜最大２４時間の範囲で選択可能である。設定時間は、シーケンサ装置３に設けられた調整器により、簡単にセットできる。
又、援助コントローラ１と携帯電話１０、又は固定電話１０ａ、その他の機器との通信は、ブルーツース通信機能や、ＷＩＦＩ機能、及び／又はＰＬＣ回路により行っても良い。【００２９】  このように、現実的に必要な簡潔な機器構成で、十分目的が達成できることに気付いたものである。
そのため、設置が極めて簡単で、すぐに完了し、機器自体の価格も、工事も極めて安価で設置できる極めて実用的な監視警備連絡装置を提供するものである。
【実施例２】
【００３０】  図４は、実施例２の回路システム構成図である。
本実施例２では、在宅モード７ａと、お出かけモード７ｂのいずれにおいても、電話回線でなく、インターネット回線１４を介して、単数又は複数の通報先のパソコン、及び／又は携帯電話、又は固定電話に自動通報させることもできる。【００３１】  携帯電話１０に設けられた動画カメラ１５、及び／又は援助コントローラ１に設けられた動画カメラ１６、又は室内のいずれかの位置に設置された動画カメラ１７より動画通信を自動送信し、異常通報通信１２とすることもできる。
このときに、独居者等Ａと、通報先との双方向通信で、テレビ電話として異常通報通信１２とすることもできる。【００３２】  前述のように、監視センサ２は、夫々単独に取付けられ、配線は簡単に設置でき、又監視センサ２と、援助コントローラ１とは無線、又は前述の有線、その他による連結でもよい。
援助コントローラ１は、寝室等の主たる居室に、単独で置くことができ、それに携帯電話１０、及び／又は固定電話１０ａの結線を接続するだけで、監視警備連絡装置が構成できる。
又、インターネット回線１３を介して、単数又は複数の通報先のパソコン、及び／又は携帯電話及び／又は固定電話に自動通報させることもできる。
【実施例３】
【００３３】    実施例３は、図１に示す如く、監視センサ２、特に床マットセンサ２ｈは、移動する室内の各所に配置されており、それらの信号より生活による移動パターンを記録する情報記憶装置３ａが、援助コントローラ１内に収納され、シーケンサ装置３と連結されている。【００３４】  各個人の室内での標準行動パターンと、その都度記録された行動パターンが、定期的に比較分析し、判断回路より異常が診断されない時は、定期的にリセットされる。
異常状態と診断された場合は、前述の異常信号１２が自動通報システム９に発信され、自動通報システム９よりブザー５ａより警報が発せられ、独居者等Ａの携帯電話１０、及び／又は固定電話１０ａに伝達されると共に、自動通報システム９内のオートダイヤラー機能により、異常通報通信１２が自動発信され、単数又は複数の通報先に通報される。
【実施例４】
【００３５】  又、監視センサ２の別の実施例として、最近発達してきた人体通信（Ｂｏｄｙ  Ａｒｅａ  Ｎｅｔｗｏｒｋ）システムで行っても良い。【００３６】  人体通信は、人体を通信の一部として利用するもので、手で触れるという動作をコンピュータで信号としてとらえ行動パターン分析を行う方式で、ユビキタスな監視センサとして用いることができる。【００３７】
【産業上の利用可能性】
【００３８】  本発明の活用例としては、以上説明したように、現在大きな問題となっている独居者等等の異常や、外出時の自宅内を監視し、自動的に連絡することができるので、独居者等の安全、健康等を管理でき、また、侵入者による盗難等を警備できる、極めて安価な機器と設置工事で短時間に多数設置可能となるため、独居者等の問題を解決できると共に、新商品による産業の発展にも貢献できる極めて実用的な発明である。
【符号の説明】
【００３９】Ａ      独居者等
Ｂ      ベッド
Ｃ      侵入者
１      援助コントローラ
１ａ    液晶モニタ
１ｂ    リモコン端末
１ｃ    リモコン受信センサ
１ｄ    ナースコールボタン
１ｅ    起動スイッチ
１ｐ    写真・絵画
２      感知センサ
２ａ    人感センサ
２ｂ    光センサ
２ｃ    赤外線センサ
２ｄ    加速度計センサ
２ｅ    火災警報器
２ｆ    煙感知器
２ｇ    漏電ブレーカ
２ｈ    床マットセンサ
３      シーケンサ装置
３ａ    情報記憶装置
４      マイク
５      スピーカ
６      ランプ
７      モード切替スイッチ
７ａ    在宅モード
７ｂ    お出かけモード
８      モードメッセージ
８ａ    在宅メッセージ
８ｂ    お出かけメッセージ
９      自動通報システム
１０    携帯電話
１０ａ  固定電話
１２    異常通報通信
１３    インターネット回線
１５    動画カメラ
【図１】
2012089106.tif 000003
【図２】
2012089106.tif 000004
【図３】
2012089106.tif 000005
【図４】
2012089106.tif 000006